(57)【要約】【課題】漁業者から購入希望者に採れた業界類が迅速にしかも簡単な手続きで提供される、魚介類の販売システム及びその方法などを提供すること。【解決手段】採れた魚介類の種類及び量を入力される提供者端末と、購入を希望する魚介類及び量を購入者により入力される購入者端末と、この購入者端末及び前記提供者端末にネットワークを介して接続され、前記採れた魚介類の種類が前記購入を希望する魚介類の種類が一致するか否かを判定する種類判定手段と、この種類判定手段により前記魚介類の種類が一致したと判定されたとき、前記購入者端末から入力した前記購入者に前記購入を希望する魚介類が採れた旨を電子メールにより通知する通知手段とを備える。【選択図】  図１
2004362122.tif 000002
【特許請求の範囲】
【請求項１】
採れた魚介類の種類及び量を入力される提供者端末と、
購入を希望する魚介類及び量を購入者により入力される購入者端末と、
この購入者端末及び前記提供者端末にネットワークを介して接続され、前記採れた魚介類の種類と前記購入を希望する魚介類の種類が一致するか否かを判定する種類判定手段と、
この種類判定手段により前記魚介類の種類が一致したと判定されたとき、前記購入者端末から入力した前記購入者に前記購入を希望する魚介類が採れた旨を電子メールにより通知する通知手段とを備えて成ることを特徴とする魚介類の販売システム。
【請求項２】
採れた魚介類の種類及び量を入力される提供者端末と、
購入を希望する魚介類及び量を購入者により入力される購入者端末と、
この購入者端末及び前記提供者端末にネットワークを介して接続された魚介類情報提供サーバとから成り、
この魚介類情報提供サーバは、
前記採れた魚介類の種類と前記購入を希望する魚介類の種類が一致するか否かを判定する種類判定手段と、
この種類判定手段により前記魚介類の種類が一致したとき、当該種類の前記採れた魚介類の量が前記購入を希望する魚介類の量よりも多いか否かを判定する量判定手段と、
この量判定手段により当該種類の前記採れた魚介類の量が前記購入を希望する魚介類の量よりも多いと判定されたとき、前記購入者端末から入力した前記購入者に希望する魚介類を渡す旨電子メールにより通知する通知手段とを備えて成ることを特徴とする魚介類の販売システム。
【請求項３】
採れた魚介類の種類及び量及び提供者の連絡先としての電子メールアドレスを入力される提供者端末と、
購入を希望する魚介類及び量及び購入者の連絡先としての電子メールアドレスを入力される購入者端末と、
この購入者端末及び前記提供者端末にネットワークを介して接続された魚介類情報提供サーバとから成り、
この魚介類情報提供サーバは、
前記採れた魚介類の種類と前記購入を希望する魚介類の種類が一致するか否かを判定する種類判定手段と、
この種類判定手段により前記魚介類の種類が一致したとき、当該種類の前記採れた魚介類の量が前記購入を希望する魚介類の量よりも多いか否かを判定する量判定手段と、
この量判定手段により当該種類の前記採れた魚介類の量が前記購入を希望する魚介類の量よりも多いと判定されたとき、前記購入者端末から入力した前記購入者の電子メールアドレスに希望する魚介類を渡す旨及び受渡し場所を電子メールにより通知すると共に、前記提供者の電子メールアドレスに前記取れた魚介類の受渡し場所を電子メールにより通知する通知手段とを備えて成ることを特徴とする魚介類の販売システム。
【請求項４】
魚介類の提供者としての登録、その連絡先としての電子メールアドレス、及び採れた魚介類の種類及び量を入力される提供者端末と、
魚介類の購入者としての登録、その連絡先としての電子メールアドレス、及び購入を希望する魚介類及び量を入力される購入者端末と、
この購入者端末及び前記提供者端末にネットワークを介して接続された魚介類情報提供サーバとから成り、
この魚介類情報提供サーバは、
前記採れた魚介類の種類と前記購入を希望する魚介類の種類が一致するか否かを判定する種類判定手段と、
この種類判定手段により前記魚介類の種類が一致したとき、当該種類の前記採れた魚介類の量が前記購入を希望する魚介類の量よりも多いか否かを判定する量判定手段と、
この量判定手段により当該種類の前記採れた魚介類の量が前記購入を希望する魚介類の量よりも多いと判定されたとき、前記購入者端末から入力した前記購入者の電子メールアドレスに希望する魚介類を渡す旨及び受渡し場所を電子メールにより通知すると共に、前記提供者の電子メールアドレスに前記採れた魚介類の受渡し場所を電子メールにより通知する通知手段とを備えて成ることを特徴とする魚介類の販売システム。
【請求項５】
魚介類の提供者としての登録、その連絡先としての電子メールアドレス、及び採れた魚介類の種類及び量を入力される提供者端末と、
魚介類の購入者としての登録、その連絡先としての電子メールアドレス、及び購入を希望する魚介類及び量を入力される購入者端末と、
この購入者端末及び前記提供者端末にネットワークを介して接続された魚介類情報提供サーバとから成り、
この魚介類情報提供サーバは、
前記採れた魚介類の種類と前記購入を希望する魚介類の種類が一致するか否かを判定する種類判定手段と、
この種類判定手段により前記魚介類の種類が一致したとき、当該種類の前記採れた魚介類の量が前記購入を希望する魚介類の量よりも多いか否かを判定する量判定手段と、
この量判定手段により当該種類の前記採れた魚介類の量が前記購入を希望する魚介類の量よりも少ないと判定されたとき、前記希望の魚介類を渡すことが可能な購入者には、前記購入者端末から入力した前記購入者の電子メールアドレスに希望する魚介類を渡せる旨を電子メールにより通知通知手段とを備えて成ることを特徴とする魚介類の販売システム。
【請求項６】
前記採れた魚介類の種類は、一般の流通市場に乗らない魚介類であることを特徴とする請求項１乃至５の何れか１記載の魚介類の販売システム。
【請求項７】
採れた魚介類の種類及び量を入力される提供者端末と、購入を希望する魚介類及び量を購入者により入力される購入者端末とに、ネットワークを介して接続された魚介類情報提供サーバであって、
この魚介類情報提供サーバは、
前記採れた魚介類の種類と前記購入を希望する魚介類の種類が一致するか否かを判定する種類判定手段と、
この種類判定手段により前記魚介類の種類が一致したとき、当該種類の前記採れた魚介類の量が前記購入を希望する魚介類の量よりも多いか否かを判定する量判定手段と、
この量判定手段により当該種類の前記採れた魚介類の量が前記購入を希望する魚介類の量よりも多いと判定されたとき、前記購入者端末から入力した前記購入者に希望する魚介類を渡す旨電子メールにより通知する通知手段とを備えて成ることを特徴とする魚介類情報提供サーバ。
【請求項８】
ネットワークを介して接続された魚介類情報提供サーバに、魚介類の提供者として漁業者をその電子メールアドレスと共に登録する提供者登録ステップと、
前記ネットワークを介して前記魚介類情報提供サーバに、魚介類の購入者として顧客をその電子メールアドレスと共に登録する購入者登録ステップと、
前記顧客の欲しい魚介類の種類及び量を前記魚介類提供サーバに送る購入希望魚介類入力ステップと、
前記漁業者の採れた魚貝類の種類及び量を前記魚介類情報提供サーバに送る提供魚介類入力ステップと、
前記採れた魚介類の種類と前記購入を希望する魚介類の種類が一致するか否かを判定する種類判定ステップと、
この種類判定ステップにより前記魚介類の種類が一致したとき、前記購入者の電子メールアドレスに欲しい魚介類が採れた旨の電子メールにより通知する購入者通知ステップとを有することを特徴とする魚介類の販売方法。
【請求項９】
前記種類判定ステップにより、前記採れた魚介類の種類と前記購入を希望する魚介類の種類が一致したとき、当該種類の前記採れた魚介類の量が前記購入を希望する魚介類の量よりも多いか否かを判定する量判定ステップを更に有し、
前記通知ステップは、前記量判定ステップにより当該種類の前記採れた魚介類の量が前記購入を希望する魚介類の量よりも多いと判定されたとき、前記購入者端末から入力した前記購入者の電子メールアドレスに希望する魚介類を渡す旨及び受渡し場所を電子メールにより通知すると共に、前記提供者の電子メールアドレスに前記採れた魚介類の受渡し場所を電子メールにより通知することを特徴とする請求項８記載の魚介類の販売方法。
【発明の詳細な説明】
【０００１】
【発明の属する技術分野】
本発明は、漁業者から採れた魚や貝類など魚介類を顧客に販売するシステム及びその方法などに関する。
【０００２】
【従来の技術】
一般に、生鮮商品、特に漁業者が捕獲する魚や貝類など魚介類は、新鮮さが生命であり、早く欲しい顧客のもとに届けないと、鮮度が下がり急激に価値が下落してしまう。
【０００３】
ところがこれらの魚介類の流通では、漁業者が取ったものを魚市場に持ち込み、そこで卸し業者が買い取って、小売業者に売り、小売業者の店頭に並べられ、それらの魚介類を欲しい顧客が買うのが通常の売買システムであって、漁業者の採った魚介類が顧客に届くまでには、相当の時間がかかるのが一般的であり、魚介類を買う顧客にとっても売る漁業者にとっても、満足のいくシステムではなかった。
【０００４】
そこで、インターネットのシステムを用いて、ウェブサーバ上に生鮮商品の仮想的な市場を形成し、ここに商品提供者が生鮮商品をリストとして掲載し、商品購入希望者がその中で欲しい生鮮商品について注文を出すと、その注文について商品提供者とその商品を運送する物流業者に携帯電話を用いたインターネットメールで注文が認められるか確認し、承諾すると商談成立として、該当生鮮商品を商品提供者から商品購入希望者に提供する生鮮商品の電子商取引システムが考えられた（特許文献１参照）。
【０００５】
しかし、このシステムでは、商品提供者から商品購入希望者に生鮮商品を運ぶ物流業者が介在し、しかも商品購入希望者が生鮮商品の購入を希望しても、その注文について商品提供者と物流業者の承諾を要し、しかも通常のインターネットと携帯電話によるインターネットメールを用いて通知及び承諾を得るなど、手続が錯綜しており、生鮮商品が商品提供者から商品購入希望者に迅速に届けられるものではなかった。したがって、生鮮商品の中でも特に迅速性が求められる魚介類の販売には、漁業者と購買者に必ずしも満足のいくシステムではなかった。
【０００６】
【特許文献１】
・特開２００２−９２３５９号公開公報
【０００７】
【発明が解決しようとする課題】
本発明はこのような魚介類の流通システムの問題点に鑑みてなされたもので、漁業者から購入希望者に採れた業界類が迅速にしかも簡単な手続きで提供される、魚介類の販売システム及びその方法などを提供することを目的とする。
【０００８】
【課題を解決するための手段】
上記目的を達成するために、本発明の請求項１によれば、採れた魚介類の種類及び量を入力される提供者端末と、購入を希望する魚介類及び量を購入者により入力される購入者端末と、この購入者端末及び前記提供者端末にネットワークを介して接続され、前記採れた魚介類の種類と前記購入を希望する魚介類の種類が一致するか否かを判定する種類判定手段と、この種類判定手段により前記魚介類の種類が一致したと判定されたとき、前記購入者端末から入力した前記購入者に前記購入を希望する魚介類が採れた旨を電子メールにより通知する通知手段とを備えて成ることを特徴とする魚介類の販売システムを提供する。
【０００９】
本発明の請求項２によれば、採れた魚介類の種類及び量を入力される提供者端末と、購入を希望する魚介類及び量を購入者により入力される購入者端末と、この購入者端末及び前記提供者端末にネットワークを介して接続された魚介類情報提供サーバとから成り、この魚介類情報提供サーバは、前記採れた魚介類の種類と前記購入を希望する魚介類の種類が一致するか否かを判定する種類判定手段と、この種類判定手段により前記魚介類の種類が一致したとき、当該種類の前記採れた魚介類の量が前記購入を希望する魚介類の量よりも多いか否かを判定する量判定手段と、この量判定手段により当該種類の前記採れた魚介類の量が前記購入を希望する魚介類の量よりも多いと判定されたとき、前記購入者端末から入力した前記購入者に希望する魚介類を渡す旨電子メールにより通知する通知手段とを備えて成ることを特徴とする魚介類の販売システムを提供する。
【００１０】
本発明の請求項３によれば、採れた魚介類の種類及び量及び提供者の連絡先としての電子メールアドレスを入力される提供者端末と、購入を希望する魚介類及び量及び購入者の連絡先としての電子メールアドレスを入力される購入者端末と、この購入者端末及び前記提供者端末にネットワークを介して接続された魚介類情報提供サーバとから成り、この魚介類情報提供サーバは、前記採れた魚介類の種類と前記購入を希望する魚介類の種類が一致するか否かを判定する種類判定手段と、この種類判定手段により前記魚介類の種類が一致したとき、当該種類の前記採れた魚介類の量が前記購入を希望する魚介類の量よりも多いか否かを判定する量判定手段と、この量判定手段により当該種類の前記採れた魚介類の量が前記購入を希望する魚介類の量よりも多いと判定されたとき、前記購入者端末から入力した前記購入者の電子メールアドレスに希望する魚介類を渡す旨及び受渡し場所を電子メールにより通知すると共に、前記提供者の電子メールアドレスに前記取れた魚介類の受渡し場所を電子メールにより通知する通知手段とを備えて成ることを特徴とする魚介類の販売システムを提供する。
【００１１】
本発明の請求項４によれば、魚介類の提供者としての登録、その連絡先としての電子メールアドレス、及び採れた魚介類の種類及び量を入力される提供者端末と、魚介類の購入者としての登録、その連絡先としての電子メールアドレス、及び購入を希望する魚介類及び量を入力される購入者端末と、この購入者端末及び前記提供者端末にネットワークを介して接続された魚介類情報提供サーバとから成り、この魚介類情報提供サーバは、前記採れた魚介類の種類と前記購入を希望する魚介類の種類が一致するか否かを判定する種類判定手段と、この種類判定手段により前記魚介類の種類が一致したとき、当該種類の前記採れた魚介類の量が前記購入を希望する魚介類の量よりも多いか否かを判定する量判定手段と、この量判定手段により当該種類の前記採れた魚介類の量が前記購入を希望する魚介類の量よりも多いと判定されたとき、前記購入者端末から入力した前記購入者の電子メールアドレスに希望する魚介類を渡す旨及び受渡し場所を電子メールにより通知すると共に、前記提供者の電子メールアドレスに前記採れた魚介類の受渡し場所を電子メールにより通知する通知手段とを備えて成ることを特徴とする魚介類の販売システムを提供する。
【００１２】
本発明の請求項５によれば、魚介類の提供者としての登録、その連絡先としての電子メールアドレス、及び採れた魚介類の種類及び量を入力される提供者端末と、魚介類の購入者としての登録、その連絡先としての電子メールアドレス、及び購入を希望する魚介類及び量を入力される購入者端末と、この購入者端末及び前記提供者端末にネットワークを介して接続された魚介類情報提供サーバとから成り、この魚介類情報提供サーバは、前記採れた魚介類の種類と前記購入を希望する魚介類の種類が一致するか否かを判定する種類判定手段と、この種類判定手段により前記魚介類の種類が一致したとき、当該種類の前記採れた魚介類の量が前記購入を希望する魚介類の量よりも多いか否かを判定する量判定手段と、この量判定手段により当該種類の前記採れた魚介類の量が前記購入を希望する魚介類の量よりも少ないと判定されたとき、前記希望の魚介類を渡すことが可能な購入者には、前記購入者端末から入力した前記購入者の電子メールアドレスに希望する魚介類を渡せる旨を電子メールにより通知通知手段とを備えて成ることを特徴とする魚介類の販売システムを提供する。
【００１３】
本発明の請求項６によれば、請求項１乃至５の何れか１記載の魚介類の販売システムにおいて、前記採れた魚介類の種類は、一般の流通市場に乗らない魚介類であることを特徴とする。
【００１４】
本発明の請求項７によれば、採れた魚介類の種類及び量を入力される提供者端末と、購入を希望する魚介類及び量を購入者により入力される購入者端末とに、ネットワークを介して接続された魚介類情報提供サーバであって、この魚介類情報提供サーバは、前記採れた魚介類の種類と前記購入を希望する魚介類の種類が一致するか否かを判定する種類判定手段と、この種類判定手段により前記魚介類の種類が一致したとき、当該種類の前記採れた魚介類の量が前記購入を希望する魚介類の量よりも多いか否かを判定する量判定手段と、この量判定手段により当該種類の前記採れた魚介類の量が前記購入を希望する魚介類の量よりも多いと判定されたとき、前記購入者端末から入力した前記購入者に希望する魚介類を渡す旨電子メールにより通知する通知手段とを備えて成ることを特徴とする魚介類情報提供サーバを提供する。
【００１５】
本発明の請求項８によれば、ネットワークを介して接続された魚介類情報提供サーバに、魚介類の提供者として漁業者をその電子メールアドレスと共に登録する提供者登録ステップと、前記ネットワークを介して前記魚介類情報提供サーバに、魚介類の購入者として顧客をその電子メールアドレスと共に登録する購入者登録ステップと、前記顧客の欲しい魚介類の種類及び量を前記魚介類提供サーバに送る購入希望魚介類入力ステップと、前記漁業者の採れた魚貝類の種類及び量を前記魚介類情報提供サーバに送る提供魚介類入力ステップと、前記採れた魚介類の種類と前記購入を希望する魚介類の種類が一致するか否かを判定する種類判定ステップと、この種類判定ステップにより前記魚介類の種類が一致したとき、前記購入者の電子メールアドレスに欲しい魚介類が採れた旨の電子メールにより通知する購入者通知ステップとを有することを特徴とする魚介類の販売方法を提供する。
【００１６】
本発明の請求項９によれば、請求項８記載の魚介類の販売方法において、前記種類判定ステップにより、前記採れた魚介類の種類と前記購入を希望する魚介類の種類が一致したとき、当該種類の前記採れた魚介類の量が前記購入を希望する魚介類の量よりも多いか否かを判定する量判定ステップを更に有し、前記通知ステップは、前記量判定ステップにより当該種類の前記採れた魚介類の量が前記購入を希望する魚介類の量よりも多いと判定されたとき、前記購入者端末から入力した前記購入者の電子メールアドレスに希望する魚介類を渡す旨及び受渡し場所を電子メールにより通知すると共に、前記提供者の電子メールアドレスに前記採れた魚介類の受渡し場所を電子メールにより通知することを特徴とする。
【００１７】
【発明の実施の形態】
以下、本発明の実施形態について図面を用いて説明する。図１に、本発明によるシステムの一実施形態の全体構成例を示す。この実施形態は、通常の市場で販売することが稀な魚や通常の市場で販売できるが価格が非常に安くて採算が取れない魚なども含んで、欲しい顧客に販売する場合の例である。
【００１８】
漁獲物販売システム１００は、漁獲物提供者端末１０１ａ，１０１ｂと、これらの端末に接続されたインターネット１０２を介して漁獲物に関する情報の提供を行う漁獲物情報提供サーバ１０３と、この漁獲物情報提供サーバ１０３に対して欲しい魚の申込みを行う顧客用の携帯電話１０４ａ，携帯端末１０４ｂ，携帯電話１０４ｃ，パソコン（ＰＣ）１０４ｄとから成る。
【００１９】
漁獲物提供者端末１０１ａ，１０１ｂは、漁業者が漁獲物提供者として採れた魚の種類、量などを登録する端末であって専用端末である必要はなく、通常、パソコンなどの汎用の電子計算機などが用いられる。この漁獲物提供者端末はここでは２台しか示していないが、勿論ここではこれよりも多くてもよい。また、顧客が用いる携帯電話１０４ａ，携帯端末１０４ｂ，携帯電話１０４ｃ，パソコン（ＰＣ）１０４ｄも、これらに限られず、インターネットに接続でき電子メールを受け取ることができるものであれば、どのようなものであってもよく、実際にはもっと台数が多い。
【００２０】
漁獲物情報提供サーバ１０３は、インターネット１０２に接続され、信号の送受信を行う送受信部１０５と、漁獲物提供者を登録する漁獲物提供者データベース（ＤＢ）１０６と、漁獲物提供者から採れた魚に関する情報を測定する漁獲物種類量測定部１０７と、魚が欲しい漁獲物購入者を登録する漁獲物購入者ＤＢ１０８と、漁獲物購入者が欲しい魚の種類や量などを測定する希望種類量及び購入者属性測定部１０９と、上記漁獲物種類量測定部１０７で得られた魚の種類や量と、上記希望種類量及び購入者属性測定部１０９で得られた漁獲物購入者が欲しい魚の種類や量を比較照合する漁獲物種類量照合部１１０と、この照合部で照合した結果について漁獲物購入者及び漁獲物提供者に送付するメールを作成する提供漁獲物メール作成部１１１とから成る。
【００２１】
次に、図２に示したフローチャートや各端末、携帯電話などの表示入力画面に基き、本発明のこの実施形態の動作について説明する。
【００２２】
まず、例えば漁業者Ａは漁獲物提供者端末１０１ａからインターネット１０２に接続し漁獲物情報提供サーバ１０３にアクセスした後、例えば図３に示すような表示入力画面で自分を漁獲物提供者として登録する（ステップＳ２０１）。
【００２３】
図３に示す画面で、提供者名入力欄３０にキーボードにより漁業者Ａを入力し、自分の連絡先（電子メールアドレス）を連絡先入力欄３１に、また住所を住所入力欄３２に入力あるいは選択入力すると共に、漁業者として自分の出入する漁港名を漁港名入力欄３３に選択入力する。尚、電子メールアドレスは、通常ＰＣで用いられるアドレスに限られず、携帯電話などでは、携帯電話のメールアドレスであってもよい。
【００２４】
住所入力欄３２ａ，３２ｂ，３２ｃうち、県名入力欄３２ａ及び市名入力欄３２ｂは、日本全国の都道府県名及び各々の都道府県が特定されたときその都道府県に存在する市名から選択し、それ以降の住所入力欄３２ｃには実際にキーボードを用いて入力するようにする。また、漁港名入力欄３３については日本全国の漁港名から選択入力する。あるいは、上記のように入力した都道府県、更に市名から、その市に存在する漁港が選択できるようにされている。
【００２５】
例えば県名として神奈川県が選択されたとすると、三浦郡、横須賀市、三浦市、鎌倉市、逗子市が選択可能とされ更に、市として横須賀市が選択されたとすると、佐島港、長井港、秋谷港、久留港が選択可能とされ、三浦市が選択され、北下浦港、金田港、間口港が選択可能とされる。
【００２６】
図３では、三浦市が選択され金田港が選択された場合を示している。
【００２７】
なお、三浦郡が選択された場合には図示してないが町、村が選択可能とされ、例えば葉山町であれば、真名瀬港、葉山港が選択可能となる。また市に港が１つしかない場合にはその港が、例えば鎌倉市では腰越港が表示される。
【００２８】
次に、漁業者Ａは、通常市場に乗らない魚類も含めて、提供できる可能性のある魚類名、例えば、アラ、アンコウ、イシモチ、イワシ、タチウオ、トラギス、ヒメジ、真アジなどを魚類名入力欄３４に入力する。
【００２９】
なお、ここで入力する魚類は、採れる可能性がある魚類であって必ずしも漁業者Ａが実際に採れたことを意味しない。
【００３０】
次にその下の提供時刻欄３５に、提供できる時刻を毎朝、何時かを入力する。これらの入力が完了したら漁業者Ａは、図３に示した漁獲物提供者端末１０１ａ画面上の最下段左側にある登録ボタン３６をクリックし、入力した内容をインターネット１０２を介して漁獲物情報提供サーバ１０３に送ることにより、漁業者Ａは漁獲物提供者として登録することになる（ステップＳ２０２）。漁業者Ａの情報は、実際には漁獲物情報提供サーバ１０３の送受信部１０５を介して、漁獲物提供者ＤＢ１０６に漁獲物提供者として記憶される。
【００３１】
なお、漁業者Ａが、漁獲物提供者としての登録を取りやめるには、図３に示した画面上で、上記登録ボタン３６の右側にあるキャンセルボタン３７をクリックすればよい。
【００３２】
次に、例えば魚が欲しい顧客Ａは、携帯電話１０４ａを用いて、図４に示すような表示入力画面で、漁獲物購入者として登録する（ステップＳ２０３）。
【００３３】
図４の購入者氏名入力欄４１には、魚が欲しい顧客Ａが自己の氏名を入力し、住所入力欄４２ａ，４２ｂ，４２ｃに自己の住所を入力する。なお、顧客Ａが旅行などで自己の住所以外のところに行っているときは、その住所を入力する。このとき入力される住所についても、漁獲物提供者の住所の入力の場合と同じように、まず都道府県名が選択されて、選択可能な市が特定され、それ以降は住所入力欄４２ｃに入力されることになる。
【００３４】
また連絡先入力欄４２ｄが設けられており、この欄に実際に欲しい漁獲物が採れたときあるいは、引渡し場所の連絡を受けることができる電子メールアドレスが入力される。漁港名入力欄４３には、選択された市にある漁港名が選択可能とされる。性別入力欄４４には、男又は女が選択入力される。
【００３５】
次に、顧客Ａが欲しい魚に関する情報が入力される。顧客が魚の種類まで特定しないときには、まず魚類入力欄４５ａには魚の種類として淡水魚か海水魚か選択入力され、魚類入力欄４５ｂには、赤身か白身か、ひかりものかそうでないものかが、選択入力される。
【００３６】
また顧客が欲しい魚類名を知っているときには、魚類名入力欄４５ｃに直接、その魚類名を入力することもできる。勿論、魚類入力欄４５ａ，４５ｂに入力していて更に、魚類名入力欄４５ｃに入力することもできる。例えば顧客Ａは、魚類名入力欄４５ｃに図示したように、アンコウ、イワシなどと入力する。
【００３７】
この魚類名入力欄４５ｃの下には、それらの魚を購入するに先立って連絡を希望するかどうか指定することができる。初期値では、上段の「あれば直ちに購入を希望」４６ａが選択されており、購入者がそれら希望の魚が採れたときにその旨連絡を希望する場合には、下段の「購入の前に連絡を希望」４６ｂを選択することができるようになっている。
【００３８】
またその下には、任意項目の欄があり、生年月日や両親の誕生日の任意項目入力欄に、顧客Ａは、適当に入力することができる。
【００３９】
図示していないが、購入の形式が「あれば直ちに購入を希望」を選択した漁獲物購入者は各購入希望の漁獲物の量も予め指定する（ステップＳ２０４）。
【００４０】
これらの入力が完了すると、図４の画面左下に表示されている登録ボタン４９ａをクリックすることにより、入力された情報は漁獲物情報提供サーバ１０３に送られ、送受信部１０５を介して、顧客Ａは漁獲物購入者として漁獲物購入者ＤＢ１０８に登録される（ステップＳ２０５）。同様にして、何人もの漁獲物提供者と漁獲物購入者の登録がなされる。
【００４１】
次に、このようにして登録がなされた後の実際の漁獲物の売買のための種類と量の照合について図５を用いて説明する。同じ漁港について複数の漁獲物提供者と漁獲物購入者がいるとする。
【００４２】
漁業者Ａが実際に漁に出て漁獲物を採ったときには、その採った漁獲物の種類、及び量の情報が漁獲物提供者端末１０１ａから入力される。同様に他の漁獲物提供者として登録された漁業者からも同様な提供者端末から種類及び各々の量が入力される。この情報はステップＳ２０６で、漁獲物情報提供サーバ１０３に集められる。
【００４３】
図４に示した漁獲物購入者の表示入力画面で、購入の形式が「購入の前に連絡を希望」を選択した登録者がいる場合には、次のステップＳ２０７で、提供漁獲物メール作成部１１１において実際に採れた漁獲物に基いて作成された電子メールが、それらの登録者に送付される。その結果それらの登録者からステップＳ２０８で、実際に欲しい漁獲物の種類と量を特定した申込みがなされる。
【００４４】
購入の形式で「購入の前に連絡を希望」を選択した者がいなければ、ステップＳ２０７とステップＳ２０８はスキップされる。
【００４５】
次のステップ２０９において、採れた漁獲物と欲しい漁獲物の種類と量の照合がなされる。この照合を図５を用いて説明する。ステップＳ５０１で漁獲物の照合が開始する。予め、漁獲物購入者から希望の合った漁獲物の種類と量が希望種類量及び購入者属性測定部１０９に入力されている。購入希望のある漁獲物の種類をＳｉとしそれらの種類の希望する量の合計を各々Ｖｉとする。これらの種類と量は、ステップＳ５０２で、希望種類量及び購入者属性測定部１０９から漁獲物種類量照合部１１０に読み込まれる。ｉは１以上ｎ以下の整数である。
【００４６】
一方、漁獲物提供者からそれらの端末により入力された、実際に採れた漁獲物の種類をＴｉとしそれらの漁獲物の採れた合計の量をＷｉとする。これらの種類と量（個数）は、ステップＳ５０３において、漁獲物種類測定部１０７から漁獲物種類量照合部１１０に読み込まれる。
【００４７】
次のステップＳ５０４では、漁獲物種類量照合部１１０において、実際に採れた漁獲物と欲しい漁獲物の種類に一致しているものがあるか判定される。もし同じ種類の漁獲物があれば、次のステップＳ５０５において、その種類の漁獲物の実際に採れた量Ｗｉが欲しい量Ｖｉより大きいか判定される。
【００４８】
ＷｉがＶｉ以上であれば、その種類の漁獲物は欲しい量よりも多く採れていることになるので、ステップＳ５０６において該当漁獲物を欲しいすべての漁獲物購入希望者に渡す旨、及びその受渡し場所、時刻などの情報を電子メールにより送ることになる。これは、漁獲物情報提供サーバ１０３の漁獲物種類量照合部１１０か照合結果が、提供漁獲物メール作成部１１１に送られ、漁獲物購入者ＤＢ１０８に登録されている漁獲物購入者を参照して電子メールが作成され、それらの連絡先の電子メールアドレス宛になされる。
【００４９】
一方、ＷｉがＶｉより小さければ、その漁獲物が欲しい購入希望者にすべて渡すことができないことになるので、ステップＳ５０７で、一部の購入希望者に該当漁獲物を渡せるが他の購入希望者には渡せない旨の電子メールを送付することになる。この場合にも提供漁獲物メール作成部１１１において各漁獲物購入者宛の電子メールが作成され、それらの電子メールアドレスに送付される。該当漁獲物を渡せる購入希望者には、その受渡し場所、時刻などの情報についても通知される。上記顧客Ａが携帯電話で申し込みをしている漁獲物が採れたとすると、この携帯電話の電子メールアドレスに通知がなされる。なお、希望の該当漁獲物を渡すことが可能な購入希望者のみに通知するようにすることもできる。
【００５０】
そして再びステップＳ５０４に戻って、種類の一致した漁獲物があるか否か、検索する。すべての漁獲物についてこのような検索を行い、種類の一致した漁獲物がなくなれば照合を終了する（ステップＳ５０８）。
【００５１】
漁獲物の照合が終了すると、図１に示す漁獲物情報提供サーバ１０３の漁獲物種類量照合部１１０から、その結果が提供漁獲物メール作成部１１１に送られ、提供漁獲物メール作成部１１１は漁獲物提供者ＤＢ１０６に登録されている漁獲物提供者、例えば漁業者Ａが検索され、それらの電子メールアドレス（ｊｋｌ＠・・・。ｎｅ．ｊｐ）宛に、採れた漁獲物を受け取る購入者及びその受渡し場所などの情報が送付される（図２のステップＳ２１０）。
【００５２】
上記実施形態の説明では、漁獲物購入者に漁獲物を提供できるか否かを連絡しその後、漁獲物提供者に受渡し場所時刻を知らせるようにしたが、勿論先に漁獲物提供者に知らせることも、また同時に知らせるようにすることもできる。
【００５３】
また上記実施形態の説明では、採れた漁獲物と欲しい漁獲物の種類とその種類の漁獲物の量を照合しているので、漁獲物購入者に欲しい漁獲物をどれだけ渡すことができるかまで、きめ細かく購入者に通知することができる利点がある。しかし、本発明では少なくとも、量の照合は必ずしも必要でなく、漁獲物の種類の一致のみを照合するだけで、欲しい漁獲物が採れたことをその漁獲物が欲しい購入者に連絡するようにすることも可能である。
【００５４】
上記実施形態の説明では、携帯電話１０４ａから漁獲物購入者の登録がなされ、希望する漁獲物についてこの同じ携帯電話１０４ａの携帯メールアドレスあてに送付される場合について説明した。しかし、最初の登録を行う際に用いられる携帯電話、携帯端末やパソコンと、漁獲物の連絡を受ける際に用いられるものとは必ずしも同じである必要はない。例えばＰＣ１０４ｄで漁獲物購入者としての登録を行い、携帯電話１０４ｃでその後の漁獲物が受け取れるか否か、受け取れる場合にはその場所、時刻などの情報を受けるようにすることもできる。また、登録時と連絡先で異なる電子メールアドレスを用いることもできる。
【００５５】
漁獲物提供者についても同様に最初の登録時と、漁獲物が採れたときその情報を漁獲物情報提供サーバ１０３に通知する端末を変えることや電子メールを変えることもできる。通常、登録時は個人情報など多くの情報を入力する必要があるが、その後の採れた漁獲物情報の入力は比較的少なくてすみ、情報を受けることが多いので、パソコンを用いて登録し、その後の情報入力には携帯電話を用いるようにすれば、採れた漁獲物の情報をすぐに入力でき、また受渡し場所の連絡もすぐ受けることができるので、迅速に漁獲物の提供を行える利点がある。
【００５６】
また上記実施形態の説明では、漁獲物提供者や漁獲物購入者の登録において、住所、漁港は都道府県、などから選択入力するようにしていたが、勿論、直接入力してもよい。また、最初に日本全国の地図が表示され、その地図上で、大体の場所をカーソルで特定して、その地域の拡大図で、更に大体の場所を特定し、同様にして、文字を入力することなく、住所や漁港を入力するようにすることもできる。
【００５７】
更に、登録や入力に用いるパソコン、携帯電話などがＧＰＳなど地理上の位置を特定できる装置を備えている場合には、その該当場所にいるときには、それらにより自動的に場所を自動入力するようにすれば、住所、漁港、受渡し場所などの入力を簡略化できる利点がある。
【００５８】
上記実施形態の説明では、漁獲物提供者が通常市場に提供することのない漁獲物を提供する可能性のある漁獲物として挙げる場合について説明した。このような漁獲物は通常、一般の流通に乗らないので、またすぐ価値が下がることもあって、漁業者が採っても捨てられる場合が多かった。しかし、上記実施形態のようなシステムにより顧客に提供すれば、貴重な漁獲資源を無駄にすることを防ぐことができる効果がある。
【００５９】
しかし、本発明は、上記のような通常の流通市場に乗らない漁獲物の場合だけでなく、一般の漁獲物についても適用可能である。
【００６０】
また、本発明は魚類だけでなく、貝類などについても適用でき、本発明ではこれらを含めて魚介類という。
【００６１】
本発明では、魚介類の提供者が登録や採れた魚介類の種類、量の入力に用いる、インターネットに接続でき電子メールの送受信が行える端末を、提供者端末といい、魚介類の購入者がその登録及び欲しい魚介類の種類及び量の入力に用いる、インターネットに接続でき電子メールの送受信が行える端末を、購入者端末という。
【００６２】
【発明の効果】
本発明によれば、漁業者から購入希望者に採れた業界類が迅速にしかも簡単な手続きで提供される、魚介類の販売システム及びその方法などを得ることができる。
【図面の簡単な説明】
【図１】本発明の一実施形態の構成例を示す図。
【図２】本発明の一実施形態の動作を説明するための図。
【図３】本発明一実施形態において、漁獲物提供者の登録を行う表示入力画面の一例を示す図。
【図４】本発明一実施形態において、漁獲物購入者の登録を行う表示入力画面の一例を示す図。
【図５】本発明一実施形態において採れた漁獲物と欲しい漁獲物の種類と量の照合の手順を説明するための図。
【符号の説明】
１００・・・漁獲物販売システム、１０１ａ，１０１ｂ・・・漁獲物提供者端末、１０２・・・インターネット、１０３・・・漁獲物情報提供サーバ、１０４ａ，１０４ｃ・・・携帯電話、１０４ｂ・・・携帯端末、１０４ｄ・・・パソコン（ＰＣ）、１０５・・・送受信部、１０６・・・漁獲物提供者ＤＢ、１０７・・・漁獲物種類量測定部、１０８・・・漁獲物購入者ＤＢ、１０９・・・希望種類量及び購入者属性測定部、１１０・・・漁獲物種類量照合部、１１１・・・提供漁獲物メール作成部。
【図１】
2004362122.tif 000003
【図２】
2004362122.tif 000004
【図３】
2004362122.tif 000005
【図４】
2004362122.tif 000006
【図５】
2004362122.tif 000007